(57)【要約】【課題】ナースコールが行われたときにスクリーンセーバが動作していても患者情報などのポップアップ表示を見ることができ、かつ、患者の個人情報が表示される時間をできるだけ短くすることができるようにする。【解決手段】解除事象判別部１３が、スクリーンセーバの動作を解除させる事象として、ナースコール子機による呼出とそれ以外のものとを判別し、呼出によるものである場合には、スクリーンセーバ起動部１４が、当該呼出に対する復旧操作が行われたときにスクリーンセーバの動作を再開させることにより、ナースコールが行われたらすぐにスクリーンセーバが解除されるようにするとともに、呼出に対する復旧操作が行われたらすぐにスクリーンセーバの動作が再開されるようにする。【選択図】        図１
2008099784.tif 000002
【特許請求の範囲】
【請求項１】
ナースコール親機の表示画面を制御する装置であって、
上記表示画面の患者情報を非表示にする非表示機能の解除事象が発生したことを検出する解除事象発生検出部と、
上記解除事象発生検出部により上記解除事象の発生が検出されたときに、上記非表示機能の動作を解除する非表示機能解除部と、
上記解除事象発生検出部により検出された解除事象の種類を判別する解除事象判別部と、
上記解除事象判別部により上記解除事象がナースコール子機による呼出であると判別された場合に、当該呼出に対する応答操作が行われたときに上記非表示機能を動作させる非表示機能起動部とを備えたことを特徴とするナースコール親機の表示制御装置。
【請求項２】
上記非表示機能起動部は、上記解除事象判別部により上記解除事象がナースコール子機による呼出でないと判別された場合には、上記ナースコール親機の操作が行われずに所定時間が経過したときに上記非表示機能を動作させることを特徴とする請求項１に記載のナースコール親機の表示制御装置。
【請求項３】
ナースコール親機の表示画面の患者情報を非表示にする非表示機能の解除事象が発生したことを検出する第１のステップと、
上記解除事象の発生が検出されたときに、上記非表示機能の動作を解除する第２のステップと、
上記第１のステップで検出された解除事象の種類を判別する第３のステップと、
上記解除事象がナースコール子機による呼出であると判別された場合に、当該呼出に対する応答操作が行われたときに上記非表示機能を動作させる第４のステップとを有することを特徴とするナースコール親機の表示制御方法。
【請求項４】
上記解除事象がナースコール子機による呼出でないと判別された場合に、上記ナースコール親機の操作が行われずに所定時間が経過したときに上記非表示機能を動作させる第５のステップを有することを特徴とする請求項３に記載のナースコール親機の表示制御方法。
【発明の詳細な説明】
【技術分野】
【０００１】
本発明は、ナースコール親機の表示制御装置およびその方法に関し、例えば病院や介護施設で使用されるナースコールシステムのナースコール親機の表示画面を制御する装置および方法に用いて好適なものである。
【背景技術】
【０００２】
一般に、ナースコールシステムは、呼出ボタンを有するナースコール子機を各病室にそれぞれ設置するとともに、ナースセンタにナースコール親機を設置している。そして、患者がナースコール子機の呼出ボタンを操作した場合に、ナースコール子機からナースコール親機へ呼出信号を送信し、ナースコール親機にて呼出の発生を報知するように構成されている。
【０００３】
ナースコール親機には、ＬＥＤ（light-emitting diode）等のランプと患者名とを対応付けて表示パネルで表示するボード型のものと、液晶ディスプレイ等を用いたディスプレイ型のものとがある。ディスプレイ型のナースコール親機では、待機画面上で患者名を実際のベッドの配置と同じようにレイアウトして表示している。この状態で患者からの呼出が行われたときに、待機画面上に呼出内容や呼出を行った患者の情報などをポップアップ表示する技術が知られている（例えば、特許文献１参照）。
【特許文献１】特開２００４−３５８１１８号公報
【０００４】
ところで、ディスプレイ画面の焼き付き現象防止や、待機画面の表示に伴う個人情報への配慮などから、装置に対する操作が所定時間継続して何も行われない場合に、スクリーンセーバを動作させる技術が知られている（例えば、特許文献２参照）。
【特許文献２】特開２００６−１４５８８２号公報
【発明の開示】
【発明が解決しようとする課題】
【０００５】
しかしながら、上記特許文献２に記載の従来技術では、スクリーンセーバが動作している際に、ナースコール子機による呼出が行われても、ナースコール親機で応答等の操作を行わない限りスクリーンセーバは解除されず、呼出内容や患者情報などのポップアップ表示が行われない。そのため、呼出の有無だけでなく、どの患者が呼出を行ったかという情報も表示されなくなって不便である。
【０００６】
これに対して、ナースコール子機による呼出が行われたら、ナースコール親機で応答等の操作が行われていなくてもスクリーンセーバを解除することが考えられる。ところが、その場合は、呼出を行っていない患者の情報もディスプレイ画面に表示されてしまうので、個人情報の保護の観点からは好ましくない。
【０００７】
本発明は、このような問題を解決するために成されたものであり、ナースコール子機による呼出が行われたときに、スクリーンセーバが動作していても呼出内容や患者情報などのポップアップ表示をナースコール親機で見ることができるようにするとともに、患者の個人情報が表示される時間をできるだけ短くすることができるようにすることを目的とする。
【課題を解決するための手段】
【０００８】
上記した課題を解決するために、本発明では、スクリーンセーバのような非表示機能の動作を解除させる事象として、ナースコール子機による呼出とそれ以外のものとを判別し、呼出によるものである場合には、当該呼出に対する応答操作が行われたときに非表示機能の動作を再開させるようにしている。
【発明の効果】
【０００９】
上記のように構成した本発明によれば、ナースコール子機による呼出が行われるとすぐにナースコール親機の非表示機能が解除されるので、呼出が行われたときに非表示機能が動作していても、呼出内容や患者情報などのポップアップ表示をナースコール親機で見ることができる。また、本発明によれば、呼出に対する応答操作が行われるとすぐに非表示機能の動作が再開されるので、ナースコール親機の表示画面において患者の個人情報が表示される時間をできるだけ短くすることができる。
【発明を実施するための最良の形態】
【００１０】
以下、本発明の一実施形態を図面に基づいて説明する。図１は、本実施形態のナースコール親機が備える表示制御装置の機能構成例を示すブロック図である。図２は、当該ナースコール親機を備えた本実施形態によるナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１１】
図２において、１は自立形のナースコール親機であり、例えばナースセンタに設置される。このナースコール親機１は、液晶ディスプレイ１ａを備えている。この液晶ディスプレイ１ａには、患者名を実際のベッドの配置と同じようにレイアウトした待機画面が表示されている。この状態でナースコール子機からの呼出が行われると、呼出内容や呼出を行った患者の情報などがポップアップ表示される。液晶ディスプレイ１ａにはタッチパネルが設けられていて、看護師が画面にタッチすることにより、各種の操作を行うことができるようになっている。
【００１２】
ナースコール親機１は、この他に、看護師がナースコール親機１に各種情報を入力するためのキーボード１ｂ、ナースコール子機からの呼出に対する応答の操作または患者の呼出の操作を行うためのハンドセット１ｃを備えている。
【００１３】
２は制御機であり、通話やデータの送受信に関する制御を行う。３は病室毎に設置される廊下灯であり、病室内の患者名が表示されるとともに、病室内の患者がナースコール子機を用いて看護師の呼出を行うと、呼出が行われたことが表示されるようになっている。また、廊下灯３は、復旧ボタン３ａを備えている。復旧ボタン３ａは、ナースコール子機からの呼出が行われたときに看護師や患者による操作により呼出前の元の状態に戻すために使用される。４，５はナースコール子機である。このうち４は壁埋込形子機であり、５はハンド形子機である。
【００１４】
壁埋込形子機４は、各患者のベッドサイドの壁に埋め込み設置される。この壁埋込形子機４は、廊下灯３に接続されている。壁埋込形子機４は、看護師が緊急時に他の看護師などを呼び出すための呼出ボタン、ハンド形子機５を接続するためのコンセント等を備えている。また、壁埋込形子機４は、患者等が看護師と会話を行う際に使用するマイクおよびスピーカを必要に応じて備えている。また、壁埋込形子機４は、廊下灯３と同様に復旧ボタン４ａを備えている。ハンド形子機５は、壁埋込形子機４のコンセントに接続される。ハンド形子機５は、患者が看護師を呼び出すための呼出ボタン、患者が看護師と会話を行う際に使用するマイクおよびスピーカを備えている。
【００１５】
次に、ナースコール親機１の表示制御装置の構成について説明する。図１に示すように、本実施形態によるナースコール親機１の表示制御装置は、解除事象発生検出部１１と、スクリーンセーバ解除部１２（本発明の非表示機能解除部に相当）と、解除事象判別部１３と、スクリーンセーバ起動部１４（本発明の非表示機能起動部に相当）と、タイマ１５とを備えて構成されている。
【００１６】
解除事象発生検出部１１は、液晶ディスプレイ１ａの表示画面に表示されていたスクリーンセーバの解除事象が発生したことを検出する。また、スクリーンセーバ解除部１２は、解除事象発生検出部１１により解除事象の発生が検出されたときに、スクリーンセーバの動作を解除する。
【００１７】
ここで、スクリーンセーバ解除部１２は、液晶ディスプレイ１ａのタッチパネル、キーボード１ｂ、ハンドセット１ｃなどのナースコール親機１に対する直接操作が行われたときにスクリーンセーバの動作を解除する。すなわち、これらの操作が行われると、その操作内容を表す所定の操作信号がナースコール親機１の内部で発生する。スクリーンセーバ解除部１２は、この操作信号の発生が解除事象発生検出部１１にて検出されたときに、スクリーンセーバの動作を解除する。
【００１８】
また、ナースコール子機４，５によって患者または看護師からの呼出が行われたときも、スクリーンセーバ解除部１２はスクリーンセーバの動作を解除する。すなわち、ナースコール子機４，５の呼出ボタンが押されて呼出が行われると、呼出信号および呼出を行った子機をユニークに識別するための子機情報が、廊下灯３から制御機２を介してナースコール親機１に送られてくる。スクリーンセーバ解除部１２は、例えば呼出信号を制御機２から入力したことが解除事象発生検出部１１により検出されたときに、スクリーンセーバの動作を解除する。
【００１９】
解除事象判別部１３は、解除事象発生検出部１１により検出された解除事象の種類を判別する。具体的には、解除事象が上述の操作信号の入力によるものか、ナースコール子機４，５から制御機２を介して送られてくる呼出信号の入力によるものかを判別する。
【００２０】
スクリーンセーバ起動部１４は、解除事象判別部１３により解除事象がナースコール子機４，５による呼出であると判別された場合に、当該呼出に対するハンドセット１ｃによる応答操作が行われたときにスクリーンセーバを動作させる。すなわち、ハンドセット１ｃによる応答操作が行われると、応答信号がナースコール親機１の内部で発生する。スクリーンセーバ起動部１４は、この応答信号の発生を検出したときに、スクリーンセーバの動作を再開させる。ここで、ハンドセット１ｃによる応答操作とは、ハンドセット１ｃをオフフックして通話を開始したり、ハンドセット１ｃをオンフックして通話を終了したりする操作を示す。
【００２１】
なお、上記応答操作だけでなく、廊下灯３の復旧ボタン３ａや壁埋込形子機４の復旧ボタン４ａの操作によりスクリーンセーバの動作を再開させるようにしても良い。具体的には、スクリーンセーバ起動部１４は、解除事象判別部１３により解除事象がナースコール子機４，５による呼出であると判別された場合に、当該呼出に対する復旧ボタン３ａ，４ａの操作が行われたときにスクリーンセーバを動作させる。すなわち、復旧ボタン３ａ，４ａの操作が行われると、復旧信号が廊下灯３、壁埋込形子機４の内部で発生し、ナースコール親機１に送られる。スクリーンセーバ起動部１４は、この復旧信号の入力を検出したときに、スクリーンセーバの動作を再開させる。
【００２２】
また、スクリーンセーバ起動部１４は、解除事象がナースコール子機４，５による呼出ではない、つまり、液晶ディスプレイ１ａのタッチパネル、キーボード１ｂ、ハンドセット１ｃなどのナースコール親機１に対する直接操作によるものであると解除事象判別部１３により判別された場合には、ナースコール親機１の操作が何も行われずに所定時間が経過したときにスクリーンセーバの動作を再開させる。
【００２３】
ここで、所定時間はタイマ１５によって計測する。すなわち、タイマ１５は、ある操作信号が入力されたときにカウント値をゼロにリセットし、そこからの経過時間をカウントするように構成されている。スクリーンセーバ起動部１４は、タイマ１５から入力する時間が所定時間となったときに、スクリーンセーバの動作を再開させる。
【００２４】
次に、上述のように構成した本実施形態によるナースコール親機１の表示制御装置の動作について説明する。図３は、当該表示制御装置の動作例を示すフローチャートである。
【００２５】
図３において、スクリーンセーバ起動部１４は、タイマ１５から入力される計測時間に基づいて、ナースコール親機１の操作が何も行われずに所定の時間が経過したか否かを判定する（ステップＳ１）。所定の時間が経過する前に何らかの操作が行われたとスクリーンセーバ起動部１４が判断した場合には（ステップＳ１でＮＯ）、ステップＳ１の処理を繰り返す。一方、何の操作もなく所定の時間が経過したとスクリーンセーバ起動部１４が判断した場合（ステップＳ１でＹＥＳ）、スクリーンセーバ起動部１４は、スクリーンセーバを動作させる（ステップＳ２）。
【００２６】
スクリーンセーバが動作している状態で、解除事象発生検出部１１は、操作信号あるいは呼出信号の発生の有無により、スクリーンセーバの解除事象が発生したか否かを判定する（ステップＳ３）。ここで、スクリーンセーバの解除事象が発生していないと解除事象発生検出部１１が判断した場合には（ステップＳ３でＮＯ）、ステップＳ２に戻り、スクリーンセーバの動作を継続する。一方、スクリーンセーバの解除事象が発生したと解除事象発生検出部１１が判断した場合（ステップＳ３でＹＥＳ）、スクリーンセーバ解除部１２は、スクリーンセーバの動作を解除する（ステップＳ４）。
【００２７】
そして、解除事象判別部１３は、解除事象発生検出部１１により検出された解除事象が呼出信号の入力によるもの（ナースコール子機４，５の呼出ボタンの操作によるもの）なのか否かを判別する（ステップＳ５）。ここで、解除事象が呼出信号の入力によるものではない、つまり、液晶ディスプレイ１ａのタッチパネル、キーボード１ｂ、ハンドセット１ｃなどの操作によって発生する操作信号の入力によるものであると解除事象判別部１３が判断した場合には（ステップＳ５でＮＯ）、ステップＳ１に戻る。これにより、ナースコール親機１の操作が何も行われずに所定時間が経過したタイミングでスクリーンセーバの動作が再開される。
【００２８】
一方、解除事象が呼出信号の入力によるものであると解除事象判別部１３が判断した場合には（ステップＳ５でＹＥＳ）、スクリーンセーバ起動部１４は、応答信号の発生の有無により、ハンドセット１ｃによる応答操作が行われたか否かを判定する（ステップＳ６）。ハンドセット１ｃによる応答操作が行われたとスクリーンセーバ起動部１４が判断した場合には（ステップＳ６でＹＥＳ）、ステップＳ２に戻り、スクリーンセーバ起動部１４は、スクリーンセーバの動作を直ちに再開させる。
【００２９】
ハンドセット１ｃによる応答操作が行われていないとスクリーンセーバ起動部１４が判断した場合には（ステップＳ６でＮＯ）、スクリーンセーバ起動部１４は、ナースコール親機１の操作が何も行われずに所定の時間が経過したか否かを判定する（ステップＳ７）。そして、所定の時間が経過する前に何らかの操作が行われたとスクリーンセーバ起動部１４が判断した場合には（ステップＳ７でＮＯ）、ステップＳ６に戻る。一方、何の操作もなく所定の時間が経過したとスクリーンセーバ起動部１４が判断した場合には（ステップＳ７でＹＥＳ）、ステップＳ２に戻り、スクリーンセーバ起動部１４は、スクリーンセーバの動作を再開させる。
【００３０】
なお、ここではステップＳ７の処理を入れているが、必ずしも入れる必要はない。すなわち、スクリーンセーバがナースコール子機４，５による呼出によって解除された場合には（ステップＳ５でＹＥＳ）、ステップＳ６で応答操作を検出するまで、スクリーンセーバ起動部１４は、スクリーンセーバを解除状態としておき、応答操作が検出されたときにスクリーンセーバを再起動するようにしても良い。
【００３１】
以上詳しく説明したように、本実施形態によれば、ナースコール子機４，５による呼出が行われたらすぐにナースコール親機１のスクリーンセーバが解除されるので、ナースコールが行われたときにスクリーンセーバが動作していても、呼出内容や患者情報などのポップアップ表示をナースコール親機１で見ることができる。また、本実施形態によれば、ハンドセット１ｃによる応答操作が行われたらすぐにスクリーンセーバの動作が再開されるので、ナースコール親機１の表示画面において患者の個人情報が表示される時間をできるだけ短くすることができる。
【００３２】
なお、上記実施形態では、液晶ディスプレイ１ａに表示されている患者の個人情報をスクリーンセーバによって隠す例について説明したが、スクリーンセーバに限定されない。例えば、単に待機画面を非表示とするようにしても良い。
【００３３】
また、上記実施形態では、自立形のナースコール親機１を例に挙げて説明したが、デスクトップ型（パソコン型）のナースコール親機であっても良い。要は、ディスプレイを備えたナースコール親機であれば、本発明の表示制御装置を適用することが可能である。
【００３４】
また、上記実施形態では、ナースコール子機の例として壁埋込形子機４およびハンド形子機５を挙げたが、これに限定されない。すなわち、ナースコール子機にはこれ以外にも種々のタイプがあり、それらを用いても良い。
【００３５】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００３６】
【図１】本実施形態によるナースコール親機の表示制御装置の機能構成例を示す図である。
【図２】本実施形態によるナースコールシステムの全体構成例を示す図である。
【図３】本実施形態によるナースコール親機の表示制御装置の動作例を示すフローチャートである。
【符号の説明】
【００３７】
１  ナースコール親機
１ａ  液晶ディスプレイ
１ｂ  キーボード
１ｃ  ハンドセット
３  廊下灯
３ａ  復旧ボタン
４  壁埋込形子機
４ａ  復旧ボタン
５  ハンド形子機
１１  解除事象発生検出部
１２  スクリーンセーバ解除部
１３  解除事象判別部
１４  スクリーンセーバ起動部
１５  タイマ
【図１】
2008099784.tif 000003
【図２】
2008099784.tif 000004
【図３】
2008099784.tif 000005